(57)【要約】【課題】スピーカユニットから音の再現性を犠牲にせずに、スピーカユニットからの振動によるキャビネットの異常音を防ぐ手段が求められている。【解決手段】かかる課題を解決するために本発明は、上記問題点を解決するために、視聴者と対面する側の前キャビネットと、視聴者からみて背面側の後キャビネットと、からなる筐体構造のＡＶ装置であって、スピーカユニットは後キャビネットに固定されていることを特徴とするＡＶ装置を提供する。また、前キャビネットには、スピーカユニットからの音を筐体外に伝えられるように開口が形成され、後キャビネットは、前記開口に振動板周縁が近接するようにスピーカユニットを後キャビネット面から支持固定するためのスピーカユニット支持固定部を有するＡＶ装置を提供する。【選択図】図１
2008153792.tif 000002
【特許請求の範囲】
【請求項１】
視聴者と対面する側の前キャビネットと、視聴者からみて背面側の後キャビネットと、からなる筐体構造のＡＶ装置であって、
前キャビネットには、スピーカユニットからの音を筐体外に伝えられるように開口が形成され、
後キャビネットは、前記開口に振動板周縁が近接するようにスピーカユニットを後キャビネット面からのみ支持固定するためのスピーカユニット支持固定部を有するＡＶ装置。
【請求項２】
後キャビネットのスピーカユニット支持固定部は、スピーカユニットの振動板周縁に配されるフレームを固定することでスピーカユニットを固定し、
前キャビネットは、スピーカユニットの振動板周縁を取り囲みスピーカユニット背面側と、振動板表面側との間の気密性を向上させるための気密壁を有する請求項１に記載のＡＶ装置。
【請求項３】
スピーカユニットの振動板周縁には振動吸収材を固着し、前記気密壁に対して押圧配置することで前記気密性をさらに向上させた請求項２に記載のＡＶ装置。
【請求項４】
スピーカユニット支持固定部は、後キャビネット面に対して起立する筒状構造である請求項１から３のいずれか一に記載のＡＶ装置。
【請求項５】
気密壁は、前キャビネット面に対して起立する筒状構造である請求項２に記載のＡＶ装置。
【請求項６】
気密壁高さは、気密壁厚さの２０倍以内である請求項２に記載のＡＶ装置。
【請求項７】
前キャビネットの少なくとも前記開口周辺部は薄板状で、樹脂モールド成形によって形成されている請求項１から６のいずれか一に記載のＡＶ装置。
【請求項８】
前キャビネットの外形面積が前キャビネットの前記開口外形面積の５０倍から１５０倍であり、スピーカユニットの長径が前記支持部の後キャビネットからの起立高さよりも大きい請求項１から７のいずれか一に記載のＡＶ装置。
【発明の詳細な説明】
【技術分野】
【０００１】
本発明は、ＡＶ装置等に取り付けられるスピーカ装置に関する。
【背景技術】
【０００２】
従来のＡＶ装置を図１６に示す。図１６（ａ）は従来のＡＶ装置正面略図である。また、（ｂ）は（ａ）の線Ｅ−Ｅで切断される断面をＬ方向から見た従来のＡＶ装置の断面略図である。図１６において、従来のＡＶ装置は、前キャビネット（１６０１）とスピーカユニット（断面省略）（１６０２）と後キャビネット（１６０３）と、ディスプレイ部（１６５１）で構成されている。また、前キャビネットはスピーカユニットからの音を筐体外に伝えられるように図中の点線で示されるような開口（１６０６）を有している。
【０００３】
ここで、図１６（ｂ）に示すように、従来のＡＶ装置に搭載されるスピーカユニットは、前キャビネット（エスカッションともいう）に直接留められている。このような構成では、前キャビネットにスピーカユニットの振動板の起こす振動が直接伝わってしまう。このため、ある振動数で振動したスピーカから伝わった振動により共振した前キャビネットが異常音（ビビリ）を発生する。近年開発が盛んな平面ディスプレイを有するＡＶ装置では、前キャビネット全体が平面を基調としたデザインとなるため、前キャビネットのスピーカ部も平面、もしくは平面の類似形状にしなければならない。このため、平面ディスプレイを有するＡＶ装置では、前述したような、ある自己共振周波数を持つ異常音（ビビリ）の出やすいキャビネット形状を有することとなり、この異常音をいかに抑えるかが課題になっている。さらに、装置を小型化かつ薄型化した場合には、前キャビネットの面積が小さく、肉厚も薄くなり、振動に対する剛性の確保が難しくなる。そのため、この課題の重要性は高まる。
【０００４】
ここで、対処方法一つとして、スピーカユニットからの振動に対応するため、前キャビネットの剛性を上げる等がある。しかし、剛性を上げるためには前キャビネットの肉厚を厚くする等の手段があるが、コストアップの要因になり、また、機器の重量の増加を招く結果となる。また、前キャビネットにスピーカユニットをしっかりと固定するためには、図１６（ｃ）に示すように、スピーカ支持固定部であるボス（１６３１）を太く形成したり、前キャビネットの剛性を上げるための補強用のリブを形成し、その肉厚を厚くする必要がある。しかし、これらの補強等は、キャビネットの樹脂モールド成形の製造プロセスにおいて、（ｄ）に示すような前キャビネット正面にシンクマーク（ヒケ）（１６５４）の生じる可能性が高くなり、製品歩留まりに悪影響を生じる。（図１６（ｄ）は図１６（ｃ）の点線で示す（１６５３）の拡大図である。）
【０００５】
ここで、図１７に前キャビネットにスピーカユニットの振動板の起こす振動が直接伝わらないように構成した改良されたＡＶ装置を示す（スピーカ取り付け部付近のみ記載）。図１７（ａ）は改良されたＡＶ装置正面略図である。また、（ｂ）は（ａ）の線Ｆ−Ｆで切断される断面をＭ方向から見た改良されたＡＶ装置の断面略図である。ここで、図１７において、改良されたＡＶ装置は、前キャビネット（１７０１）とスピーカユニット（１７０２）と後キャビネット（記載せず）とクッション（１７６１）とスピーカユニット取り付け補助板（１７６２）で構成される。また、前キャビネットはスピーカユニットからの音を筐体外に伝えられるように開口（１７０６）を有している。
【０００６】
この構成では、スピーカユニットは一旦スピーカユニット取り付け補助板に取り付けられ、前キャビネットにクッションを介して取り付けられている。この場合、スピーカユニットの振動が直接には前キャビネットに伝わらないため異常音の発生を抑制することができる。
【特許文献１】特開平９−２６１７８９
【発明の開示】
【発明が解決しようとする課題】
【０００７】
しかし、この改良されたＡＶ装置は、従来のＡＶ装置よりは異常音の発生抑制に有利ではあるが、スピーカユニットがキャビネットにしっかりと固定されていないため取り付け補助板自体が振動してしまい、スピーカの振動板が正しく振動できず、再生すべき正しい音（空気音圧）を再現できず高音質再現が望めない。
【０００８】
このような問題点が存在するため、スピーカユニットから音の再現性を犠牲にせずに、スピーカユニットからの振動によるキャビネットの異常音を防ぐ手段が求められている。
【課題を解決するための手段】
【０００９】
そこで、上記問題点を解決するために、本件発明では、視聴者と対面する側の前キャビネットと、視聴者からみて背面側の後キャビネットと、からなる筐体構造のＡＶ装置であって、スピーカユニットは後キャビネットに固定されていることを特徴とするＡＶ装置を提供する。また、前キャビネットには、スピーカユニットからの音を筐体外に伝えられるように開口が形成され、後キャビネットは、前記開口に振動板周縁が近接するようにスピーカユニットを後キャビネット面からのみ支持固定するためのスピーカユニット支持固定部を有するＡＶ装置を提供する。
【００１０】
また、後キャビネットのスピーカユニット支持固定部は、スピーカユニットの振動板周縁に配されるフレームを固定することでスピーカユニットを固定し、前キャビネットは、スピーカユニットの振動板周縁を取り囲みスピーカユニット背面側と、振動板表面側との間の気密性を向上させるための気密壁を有するＡＶ装置を提供する。また、スピーカユニットの振動板周縁には振動吸収材を固着し、前記気密壁に対して押圧配置することで前記気密性をさらに向上させたＡＶ装置を提供する。また、スピーカユニット支持固定部は、後キャビネット面に対して起立する筒状構造であるＡＶ装置を提供する。また、気密壁は、前キャビネット面に対して起立する筒状構造であるＡＶ装置を提供する。また、気密壁高さは、気密壁厚さの２０倍以内であるＡＶ装置を提供する。
【発明の効果】
【００１１】
以上のような構成をとる本発明によって、スピーカの音質の劣化なしに前キャビネットおよび、これと固定されている後キャビネットと合わせた装置筐体全体の振動を効果的に抑えことができる。さらに、スピーカの振動板背面への音放射と表面への音放射の干渉を防ぐことで、視聴者に届く音の音響品質を良好に確保することができる。
【発明を実施するための最良の形態】
【００１２】
以下に、各発明の実施の形態を説明する。なお、本発明はこれら実施の形態に何ら限定されるものではなく、その要旨を逸脱しない範囲において、種々なる態様で実施しうる。
【００１３】
なお、以下の実施形態と請求項の関係は次の通りである。実施形態１は、主に請求項１、請求項７、請求項８などについて説明する。また、実施形態２は、主に請求項２、請求項５、請求項６などについて説明する。また、実施形態３は、主に請求項３などについて説明する。また、実施形態４は、請求項４などについて説明する。
【００１４】
<<実施形態１>>
【００１５】
<実施形態１の概要>
【００１６】
本実施形態は、視聴者と対面する側の前キャビネットと、視聴者からみて背面側の後キャビネットと、からなる筐体構造のＡＶ装置であって、前キャビネットに開口部が形成され、スピーカユニットは後キャビネットのみに支持固定されていることを特徴する。
【００１７】
<実施形態１の構成>
【００１８】
本実施形態は、視聴者と対面する側の前キャビネットと、視聴者からみて背面側の後キャビネットと、からなる筐体構造のＡＶ装置であって、スピーカユニットは後キャビネットに固定されているＡＶ装置に関する。また、前キャビネットには、スピーカユニットからの音を筐体外に伝えられるように開口が形成され、後キャビネットは、前記開口に振動板周縁が近接するようにスピーカユニットを後キャビネット面からのみ支持固定するためのスピーカユニット支持固定部を有するＡＶ装置に関する。
【００１９】
図１に本実施形態におけるＡＶ装置の構成の一例の斜視図を示す。図１は本実施形態の構成を示す概念図である。図１に示すように、本実施形態におけるＡＶ装置は、前キャビネット（０１０１）と、スピーカユニット（０１０２）と、後キャビネット（０１０３）からなる。
【００２０】
「前キャビネット」とは、エスカッションとも呼ばれ、視聴者と対面する側に面を有するＡＶ装置の前枠である。また、スピーカユニットからの音を筐体外に伝えられるように開口（０１０６）が形成されており、開口には防塵、及び破損防止用のカバーが付されている。またここで、平面ディスプレイを有するようなＡＶ装置では、この前キャビネットの開口付近も平面、もしくは平面の類似形状が求められる。なお、開口部の周辺は薄板状であってもよい。前キャビネットの形成の方法は樹脂モールド形成によるものでもよい。
【００２１】
「スピーカユニット」は、図２の断面図に示すように、主に振動板（０２１１）と、ボイスコイル（０２１２）と、フレーム（０２１３）と、磁気回路（０２１４）とからなる。「振動板」とは、ボイスコイルに電気信号の再生音声電流（以下、信号電流）が流れると、永久磁石を中心とした磁気回路からの磁束により、フレミングの左手の法則に従った駆動力（振動）がボイスコイルに発生し、その駆動力により振動するボイスコイルに接続されたものである。この振動板が空気を振動させることで視聴者が再生音を聞くことができる。また、振動板の材質としてはラシャ紙やケント紙等の紙系振動板、ポリエチレンやポリプロピレン等の高分子系振動板、ジュラルミンやアルミニウム等の金属系振動板、またはセラミック系振動板等がある。これらは、材質の特性を利用して低音用や高音用に適時用いられる。
【００２２】
また、ボイスコイルとは、前述したように、信号電流を流すコイルであり、この信号電流により振動する。このボイスコイルの振動が振動板に伝わり、音圧として空気中に伝播されることで、最終的に電気信号が音として再生される。
【００２３】
また、フレームとはスピーカユニットを筐体に固定するための骨組みで、磁気回路と、エッジ（０２１５）及びダンパー（０２１６）を介し振動板を保持している。このようにフレームが磁気回路に接続されることで、磁気回路に生じるボイスコイルの駆動力（振動）による反作用等を受け止める。材質としては加工の容易性や、振動に対して強度が求められるため、スチール等の金属製のフレームを使用するが、磁気回路に及ぼす影響を防ぐためアルミニウムやマグネシウム等の非磁性体のフレームが好ましい。
【００２４】
また、磁気回路とは、ボイスコイルが存在する磁極空隙に均一に磁束を供給する磁気的な回路である。回路の起磁力を生じさせる磁石としてはフェライト系の磁石が使用されるが、必要ならば電磁石を用いたものでもよい。また、図２では外磁形磁気回路を示したが、内磁形磁気回路で構成してもよい。
【００２５】
振動板の形状は図３（ａ）に示すような丸形スピーカだけでなく、（ｂ）に示すような楕円形スピーカであってもよい。
【００２６】
また、図１や図２、図３、図４（ａ）において現在最も多く使用されているコーン形スピーカを例示したが、図４（ｂ）に示すような、ドーム形スピーカや図４（ｃ）のようなホーン形スピーカであってもよい。また、平面スピーカ（例示せず）であってもよい。
【００２７】
「後キャビネット」とは、視聴者からみて背面側となる面をもつＡＶ装置の後枠である。図１に示すように、本実施形態の後キャビネットは、前述した前キャビネットの開口に振動板周縁が近接するようにスピーカユニットを後キャビネット面から支持固定するためのスピーカユニット支持固定部（０１０４）を複数有している。
ここで、図中では、スピーカユニット支持固定部を４個記載しているが、後キャビネットへの固定強度を上げたい場合は個数を増やしてもかまわない。また、強度が十分な場合は個数を減らしてもよい。
【００２８】
ここで、図５（ａ）に本実施形態の構成のＡＶ装置の正面略図（スピーカ周辺部のみ）と、（ｂ）に（ａ）の線Ａ−Ａで切断される断面をＸ方向から見た断面略図を示す。ここで図５をもとに本実施形態のＡＶ装置の特徴を説明する。まず、前述したように、前キャビネット（０５０１）は、スピーカユニット（断面省略）（０５０２）からの音を筐体外に伝えられるように図中の点線で示されるような開口（０５０６）が形成されている。また、後キャビネット（０５０３）は、開口（０５０６）に振動板周縁が近接するようにスピーカユニットを後キャビネット面から支持固定するためのスピーカユニット支持固定部（０５０４）を有している。また、スピーカユニットは自身の持つフレームと、スピーカユニット支持固定部とでネジ等（０５０７）で接続され、後キャビネットに固定される。
【００２９】
また、スピーカユニット支持固定部とスピーカユニットの固定方法は、図６（ａ）のスピーカユニット支持固定部の断面略図に示すように、ネジ（０６０７）をスピーカユニットのフレーム（０６３５）に形成したネジ挿入用の孔を通し、スピーカユニット支持固定部（０６０４）の頂点（０６２１）に形成したネジ取り付け孔へ挿入し固定してもよい。このとき、支持固定部は（ａ）のような中空でない形状でもよいし、（ｂ）のように中空状であってもよい。また、スピーカユニットを後キャビネットにより強固に固定し、振動を抑えるために、中空部分に弾性体を詰めたり、あるいは、中空部分の支持固定部の樹脂の肉厚を厚くしたりしてもよい。
また、（ｂ）に示すように、スピーカユニット支持固定部（０６３４）を中空状に形成することで、本実施形態ＡＶ装置の筐体外側に当たるＡ方向から、ネジ（０６０７）をスピーカユニット支持固定部に形成されたネジ挿入用の孔に通し、フレームに形成したネジ取り付け孔に挿入し固定してもよい。  
【００３０】
このとき、スピーカから生じる音が前キャビネットによる反射を防ぐため、前記開口の径（０５０８）はスピーカの振動板の径（０５０９）と同じか、もしくは広い必要がある。
また、開口の径は、スピーカの振動板の径に応じて決まるが、図７に示される開口部の面積（０７０２）に比して、前キャビネットの外形面積（０７０１）が５０倍から１５０倍となるようにしてもよい。前期範囲に該当する小型のAV装置において、スピーカユニットを後キャビネットのみに支持固定する構造による、異常音(ビビリ)の防止効果が顕著となる。前記支持固定部の起立高さ（０５１０）は装置を薄くするにつれて低くなるが、スピーカユニットの長径（０５０８）より低くしてもよい。
【００３１】
<実施形態１の効果>
【００３２】
本実施形態におけるＡＶ装置は、視聴者と対面する側の前キャビネットと、視聴者からみて背面側の後キャビネットとからなる筐体構造を持ち、スピーカユニットは後キャビネットのみに固定されている特徴を有することで、前キャビネットにスピーカユニットから生じる振動を伝えることを防ぎ、ビビリ等の異常音の発生を防ぐことができる。このことにより、異常音を起こす振動の防止に対応するため、前キャビネットの剛性を上げる等の処置（肉厚を厚くする等）の必要がなく前キャビネットのデザイン上の自由度が上がり、さらに材料費の上昇を抑えることができる。
【００３３】
また、従来技術では前キャビネットにスピーカユニットを留めていたため、スピーカユニット支持固定部であるボス等を前キャビネットに形成しなければならず、キャビネットの樹脂モールド成形の製造プロセスにおいて、視聴者が最も気にかける前キャビネット正面にシンクマーク（ヒケ）の生じる可能性があり、商品性確保に不利であった。このことは、製品歩留まりに悪影響が生じる可能性を意味する。しかし、本実施形態のＡＶ装置では後キャビネットのみにボス等のスピーカユニット支持固定部を形成するため、視聴者がほとんど気にならない筐体背面に多少のシンクマークが生じたとしても商品性確保が容易になる利点がある。また、上記理由により、ボス、リブ等の追加、また肉厚を厚くする等の補強が容易であるという利点もある。
【００３４】
<<実施形態２>>
【００３５】
<実施形態２の概要>
【００３６】
本実施形態は、後キャビネットのスピーカユニット支持固定部で、スピーカユニットのフレームが固定され、前キャビネットは、気密壁を有し、スピーカユニットの振動板周縁を取り囲みスピーカユニット背面側と、振動板表面側との間の気密性を向上させる特徴を有するＡＶ装置である。
【００３７】
<実施形態２の構成>
【００３８】
後キャビネットのスピーカユニット支持固定部は、スピーカユニットの振動板周縁に配されるフレームを固定することでスピーカユニットを固定し、前キャビネットは、スピーカユニットの振動板周縁を取り囲みスピーカユニット背面側と、振動板表面側との間の気密性を向上させるための気密壁を有するＡＶ装置に関する。
【００３９】
図８に本実施形態におけるＡＶ装置の構成の一例の分解斜視図を示す。図８は本実施形態の構成を示す概念図である。図８に示すように、本実施形態におけるＡＶ装置は、前キャビネット（０８０１）と、スピーカユニット（０８０２）と、後キャビネット（０８０３）からなる。本実施形態における、スピーカユニット支持固定部（０８０４）は、スピーカユニット（０８０２）の振動板周縁に配されるフレームを固定している。また、前キャビネット（０８０１）は、実施形態１と同様に防塵、及び破損防止用のカバーが付された、スピーカユニットからの音を筐体外に伝えるための開口（０８０６）が形成されており、さらに、スピーカユニット（０８０２）の振動板周縁を取り囲んだ気密壁（０８３１）を有するという特徴を持つ。
【００４０】
ここで、図９（ａ）に本実施形態の構成のＡＶ装置の正面略図（スピーカ周辺部のみ）と、（ｂ）に（ａ）の線Ｂ−Ｂで切断される断面をＸ方向から見た断面略図を示す。ここで図９をもとに本実施形態のＡＶ装置の特徴を説明する。まず、実施形態１で説明したのと同様に、前キャビネット（０９０１）は、スピーカユニット（断面省略）（０９０２）からの音を筐体外に伝えられるように図中の点線で示されるような開口（０９０６）と、気密壁（０９３１）が形成されている。また、後キャビネット（０９０３）は、開口（０９０６）に振動板周縁が近接するようにスピーカユニットを後キャビネット面のみから支持固定するためのスピーカユニット支持固定部（０９０４）を有している。また、スピーカユニットは振動板周縁に配されるフレームを持ち、スピーカユニット支持固定部とでネジ等（０９０７）で接続され、後キャビネットに固定される。
【００４１】
ここで「気密壁」について説明する。まず、スピーカの振動板は、信号電流により生じた振動をスピーカ表面へ音放射する。また同時に、その反作用である背面への音放射も生じる。この背面への音放射が表面へ回り込むことで、スピーカ表面の音放射に干渉した場合、視聴者に届く音の音質が劣化することとなる。このため、視聴者に届く音の音質を劣化させないために、スピーカ背面への音放射の音波がスピーカ表面に回りこみ、スピーカ表面の音波に干渉しないように遮蔽するための構成が必要となる。このため、「気密壁」は、振動板周縁を取り囲みスピーカユニット背面側と、振動板表面側との間の気密性を向上させるための前キャビネットに形成されたものとして構成される。
【００４２】
また、この気密壁は、前キャビネット面に対して起立する筒状構造である。ここで、本実施形態のＡＶ装置では、前キャビネットにスピーカユニットの振動を伝えないように構成しているため、断面図に示すように、前キャビネットとスピーカユニットは接触しないように構成されている。
【００４３】
よって、前キャビネットに形成された気密壁は、スピーカユニットのフレームを被うようなスリーブの形状になり、スピーカユニットのフレームの径（０９４１）より、気密壁（スリーブ）の径（０９４２）が大きい必要がある。
【００４４】
また、図１０に気密壁（スリーブ）の形状の別の例を示す。（ａ）に示すように、気密壁（スリーブ）（１００４）の開口（１００６）の内側に凸部（１０５１）を形成してもよい。このことによりスピーカ部のカバーを通して見たときに、スピーカのフレーム等のデザイン性に不要な部分が隠されるメリットがある。ただし、このときの開口の径（１０５２）は、凸部（１０５１）に当たることで生じる反射音を防ぐため、スピーカユニットが持つ振動板の径（１０５３）と同じか、広くする必要がある。また、（ｂ）に示すように、気密壁（スリーブ）の径（１０５４）とスピーカユニットが持つ振動板の径（１０５５）と同じになるように前キャビネットを形成してもよい。このことにより、スピーカ部のカバーを通して、フレーム等のデザイン性に余計な部分が隠されるメリットと、音の反射を生じる可能性のある凸部（１０５１）を持たないメリットを持つことが可能になる。
【００４５】
また、本実施形態のＡＶ装置は、製造に用いられるスピーカユニットのフレーム形状にあわせ前記スリーブを形成するため、図１１（ａ）に示すように丸型スピーカを使用するときは、丸型のスリーブ形状の気密壁を前キャビネットに形成する。また同様に、楕円型スピーカを使用するときは（ｂ）のような楕円型のスリーブ形状の気密壁、また長円型スピーカを使用するときは（ｃ）のような長円型のスリーブ形状の気密壁、さらに、必要であれば（ｄ）に示すような四角形のスリーブ形状の気密壁であってもよい。
【００４６】
また、気密壁高さ（０９３３）は、気密壁厚さ（０９３４）の２０倍以内としてもよい。このことにより、前キャビネットに気密壁（スリーブ）を形成しても、樹脂モールド成形の製造プロセスにおいて、視聴者が最も気にかける前キャビネット正面にシンクマーク（ヒケ）の生じる可能性を少なくすることができる。よって、このことにより、本実施形態のＡＶ装置の商品性確保を有利にすることができる。
【００４７】
<実施形態２の効果>
【００４８】
本実施形態のＡＶ装置は、前キャビネットが、後キャビネットに固定されたスピーカユニットの振動板周縁を取り囲みスピーカユニット背面側と、振動板表面側との間の気密性を向上させるための気密壁を有することで、前キャビネットに生じる異常音（ビビリ）を防ぎ、さらに、スピーカの振動板背面への音放射と表面への音放射の干渉を防ぐことで、視聴者に届く音の音質を実施形態１のスピーカの音響品質より良好に確保することができる。また、気密壁は、前キャビネット面に対して起立する筒状構造であるため、平面ディスプレイを持つＡＶ装置のデザインの制約上、スピーカ部も平面形状にならざるを得ない前キャビネットに対し、機械的な強度を上げる補強板の役割を持つこともできる。これにより、製品の運搬時や組み立て時におけるキャビネットの捩れや歪みによる破損を防ぐことができる。また、気密壁高さを気密壁厚さの２０倍以内とすることで、樹脂モールド成形の製造プロセスにおいて、前キャビネットにシンクマーク（ヒケ）を生ずる可能性を低くすることができる。このことにより、本実施形態のＡＶ装置の商品性確保を有利にすることができる。
【００４９】
<<実施形態３>>
【００５０】
<実施形態３の概要>
【００５１】
本実施形態は、スピーカユニットの振動板周縁に振動吸収材としてシーリング材を配置し、実施形態２に記載した気密壁に対して押圧することで、スピーカユニット背面側と、振動板表面側との間の気密性をさらに向上させたＡＶ装置である。
【００５２】
<実施形態３の構成>
【００５３】
本実施形態は、スピーカユニットの振動板周縁には振動吸収材を固着し、前記気密壁に対して押圧配置することで前記気密性をさらに向上させたＡＶ装置に関する。  
【００５４】
図１２に本実施形態におけるＡＶ装置の構成の一例の分解斜視図を示す。図１２は本実施形態の構成を示す概念図である。図１２に示すように、本実施形態におけるＡＶ装置は、前キャビネット（１２０１）と、スピーカユニット（１２０２）と、後キャビネット（１２０３）と、振動吸収材（１２４１）からなる。
【００５５】
ここで、本実施形態における前キャビネット（１２０１）は、実施形態１、実施形態２と同様に防塵、及び破損防止用のカバーが付された、スピーカユニットからの音を筐体外に伝えるための開口（１２０６）が形成されており、実施形態２と同様に気密壁（１２３１）を有している。
【００５６】
ここで、図１３（ａ）に本実施形態の構成のＡＶ装置の正面略図（スピーカ周辺部のみ）と、（ｂ）に（ａ）の線Ｃ−Ｃで切断される断面をＺ方向から見た断面略図を示す。ここで図１３をもとに本実施形態のＡＶ装置の特徴を説明する。まず、実施形態２で説明したのと同様に、前キャビネット（１３０１）は、スピーカユニット（断面省略）（１３０２）からの音を筐体外に伝えられるように図中の点線で示されるような開口（１３０６）と、気密壁（１３３１）が形成されている。また、後キャビネット（１３０３）は、開口（１３０６）に振動板周縁が近接するようにスピーカユニットを後キャビネット面からのみ支持固定するためのスピーカユニット支持固定部（１３０４）を有している。また、スピーカユニットは振動板周縁に配されるフレームを持ち、スピーカユニット支持固定部とでネジ等（１３０７）で接続され、後キャビネットに固定される。また、振動吸収材（１３４１）はスピーカユニットの振動板周縁に固着し、スピーカユニットの振動板周縁を取り囲み、気密壁に対して押圧配置している。
【００５７】
ここで、「振動吸収材」とは、スピーカユニットの振動板周縁に固着し、スピーカユニットの振動板周縁を取り囲み、スピーカユニット背面側と、振動板表面側との間の気密性を向上させるための気密壁に対して押圧配置するものである。材質としては、スピーカユニットからの振動を前キャビネットに伝えることがないよう振動を吸収し、さらにスピーカの振動板の表面と背面の気密性を保つ効果を持つ材質が望ましい。また、前キャビネットとスピーカの振動板周縁との間に押圧配置を行うため、破損等が起こらないように、形状変化に柔軟に対応できるよう丈夫で柔らかいという性質が必要である。材質例としては、振動吸収材として広く用いられているウレタン系樹脂やゴム、ゲル状シート等が考えられる。
【００５８】
また、振動吸収材は、前キャビネットの気密壁（スリーブ）内部に固着せず、スピーカユニットの振動板周縁に固着している。このことは、前キャビネットの気密壁（スリーブ）内部に固着する場合に比べ、スピーカユニットの振動板周縁に固着した場合の方が、リサイクルの際、本ＡＶ装置の分解容易性を高め、リサイクルに掛かる費用を軽減する効果がある。
【００５９】
これにより、実施形態２のＡＶ装置よりスピーカユニット背面側と、振動板表面側との間の気密性をさらに向上させることができる。このことで、スピーカ背面への音放射の音波が表面に回りこみ、スピーカ表面の音波に干渉しないように遮蔽する効果がより向上する効果が得られる。さらには、振動吸収材を用いることで、気密性の向上と同時に、スピーカユニットの振動が、前キャビネットおよび、これと固定されている後キャビネットと合わせた装置筐体全体へ伝わることを防止し、異常音（ビビリ）の発生も効果的に抑制される。
【００６０】
<実施形態３の効果>
【００６１】
本実施形態のＡＶ装置は、前キャビネットが、後キャビネットに固定されたスピーカユニットの振動板周縁を取り囲みスピーカユニット背面側と、振動板表面側との間の気密性を向上させるための気密壁を有し、さらに、スピーカユニットの振動板周縁には振動吸収材を固着し、気密壁に対して押圧配置する特徴を有している。このことにより、実施形態２におけるＡＶ装置よりもスピーカユニットの振動板の表面と背面の気密性をさらに向上させることで、スピーカの振動板背面への音放射と表面への音放射の干渉を防ぐことでき、視聴者に届く音響品質より良好に確保することができる。また、振動吸収材は、スピーカユニットからの振動を前キャビネットに伝えることを防止する効果を持つため、前キャビネットおよび、これと固定されている後キャビネットと合わせた装置筐体全体に生じる異常音（ビビリ）を防ぐことができる効果も持つ。また、前キャビネットの気密壁（スリーブ）内部に固着する場合に比べ、スピーカユニットの振動板周縁に固着した場合の方が、リサイクルの際、本ＡＶ装置の分解容易性を高め、リサイクルに掛かる費用を軽減する効果がある。
【００６２】
<<実施形態４>>
【００６３】
<実施形態４の概要>
【００６４】
本実施形態は、スピーカユニットの振動板周縁に振動吸収材を配置し、前キャビネットに形成した気密壁に対して押圧することで、スピーカユニット背面側と、振動板表面側との間の気密性をさらに向上させ、さらに、スピーカユニット支持固定部を後キャビネット面に対して起立する筒状構造にすることで、後面を密閉型にすることを特徴としたＡＶ装置である。
【００６５】
<実施形態４の構成>
【００６６】
スピーカユニット支持固定部は、後キャビネット面に対して起立する筒状構造であるＡＶ装置に関する。
【００６７】
図１４に本実施形態におけるＡＶ装置の構成の一例の分解斜視図を示す。図１４は本実施形態の構成を示す概念図である。図１４に示すように、本実施形態におけるＡＶ装置は、前キャビネット（１４０１）と、スピーカユニット（１４０２）と、後キャビネット（１４０３）と、振動吸収材（１４４１）からなる。
【００６８】
ここで、本実施形態における前キャビネット（１４０１）は、実施形態１から実施形態３と同様に防塵、及び破損防止用のカバーが付された、スピーカユニットからの音を筐体外に伝えるための開口（１４０６）が形成されており、実施形態２、実施形態３と同様に気密壁（１４３１）を有している。
【００６９】
ここで、図１５（ａ）に本実施形態の構成のＡＶ装置の正面略図（スピーカ周辺部のみ）と、（ｂ）に（ａ）の線Ｄ−Ｄで切断される断面をＫ方向から見た断面略図を示す。ここで図１５をもとに本実施形態のＡＶ装置の特徴を説明する。まず、実施形態１から実施形態３で説明したのと同様に、前キャビネット（１５０１）は、スピーカユニット（断面省略）（１５０２）からの音を筐体外に伝えられるように図中の点線で示されるような開口（１５０６）と、気密壁（１５３１）が形成されている。また、後キャビネット（１５０３）は、開口（１５０６）に振動板周縁が近接するようにスピーカユニットを後キャビネット面からのみ支持固定するためのスピーカユニット支持固定部（１５０４）を有している。また、スピーカユニットは振動板周縁に配されるフレームを持ち、スピーカユニット支持固定部とでネジ等（１５０７）で接続され、後キャビネットに固定される。ここで、後キャビネットのスピーカユニット支持固定部は、後キャビネット面に対して起立する筒状構造（１４０４）を持つ。これは図１５（ｂ）からもわかるようにスピーカユニット背面がスピーカユニットの振動板と後キャビネットで構成される閉空間（１５５１）を形成する。このことによって、振動板から生じる背面への音放射が表面への音放射に干渉しないように遮蔽するための効果が実施形態１から実施形態３までの構成よりも向上する。
【００７０】
また、振動吸収材（１５４１）はスピーカユニットの振動板周縁に固着し、スピーカユニットの振動板周縁を取り囲み、気密壁に対して押圧配置している。ここで、振動吸収材は後キャビネットに形成されるスピーカユニット支持固定部が筒状であるため、図１５（ｂ）の（１５５２）に示すように、前キャビネットに形成される筒状の気密壁内側と筒状スピーカユニット支持固定部の外側まで密着させることができ、スピーカの振動板の表面と背面の気密性を実施形態３と比較してより高めることができる。
【００７１】
<実施形態４の効果>
【００７２】
本実施形態は、スピーカユニットの振動板周縁に振動吸収材を配置し、前キャビネットに形成した気密壁に対して押圧することで、スピーカユニット背面側と、振動板表面側との間の気密性をさらに向上させ、さらに、スピーカユニット支持固定部を後キャビネット面に対して起立する筒状構造にし、スピーカユニット背面がスピーカユニットの振動板と後キャビネットで構成される閉空間を形成している。このことにより、実施形態３におけるＡＶ装置よりもスピーカユニットの振動板の表面と背面の気密性をさらに向上させることで、スピーカの振動板背面への音放射と表面への音放射の干渉を防ぐことでき、視聴者に届く音響品質をより良好に確保することができる。
【００７３】
また、振動吸収材は、スピーカユニットからの振動を前キャビネットに伝えることを防ぐため、前キャビネットに生じる異常音（ビビリ）を防止することができる効果も持つ。
【００７４】
また、スピーカユニット支持固定部は後キャビネット面に対して起立する筒状構造であるため、機械的な強度を上げる補強板の役割を持つこともできる。これにより、製品の運搬時や組み立て時におけるキャビネットの捩れや歪みによる破損を防ぐことができる。
【図面の簡単な説明】
【００７５】
【図１】実施形態１におけるＡＶ装置の構成の一例の分解斜視図
【図２】スピーカユニット断面図
【図３】スピーカの形状例
【図４】スピーカの種類
【図５】実施形態１の構成のＡＶ装置の正面略図および断面図
【図６】実施形態１のスピーカユニット支持固定部とスピーカユニットの固定方法の例
【図７】前キャビネット外形面積（斜線部）と開口部面積（斜線部）
【図８】実施形態２におけるＡＶ装置の構成の一例の分解斜視図
【図９】実施形態２の構成のＡＶ装置の正面略図および断面図
【図１０】実施形態２の気密壁（スリーブ）の断面
【図１１】実施形態２の気密壁（スリーブ）の形状例
【図１２】実施形態３におけるＡＶ装置の構成の一例の分解斜視図
【図１３】実施携帯３の構成のＡＶ装置の正面略図および断面図
【図１４】実施形態４におけるＡＶ装置の構成の一例の分解斜視図
【図１５】実施形態４の構成のＡＶ装置の正面略図および断面図
【図１６】従来技術のＡＶ装置とその断面図
【図１７】改良された従来技術のＡＶ装置とその断面図
【符号の説明】
【００７６】
０１０１    前キャビネット
０１０２    スピーカユニット
０１０３    後キャビネット
０１０４    スピーカユニット支持固定部
０１０６    開口
【図１】
2008153792.tif 000003
【図２】
2008153792.tif 000004
【図３】
2008153792.tif 000005
【図４】
2008153792.tif 000006
【図５】
2008153792.tif 000007
【図６】
2008153792.tif 000008
【図７】
2008153792.tif 000009
【図８】
2008153792.tif 000010
【図９】
2008153792.tif 000011
【図１０】
2008153792.tif 000012
【図１１】
2008153792.tif 000013
【図１２】
2008153792.tif 000014
【図１３】
2008153792.tif 000015
【図１４】
2008153792.tif 000016
【図１５】
2008153792.tif 000017
【図１６】
2008153792.tif 000018
【図１７】
2008153792.tif 000019